(57)【特許請求の範囲】
【請求項１】
溜池の堤体の下端部分に該下端部分を水平に横切るように設けられて溜池の貯留水を排出可能とする、溜池の堤体における複合型底樋であって、
前記堤体の溜池側としての内側部分をなす、溜池の貯留水が漏水するのを防止する遮水性ゾーンで構築された剛構造の剛管路構造物に、可撓性連結部を介して、堤体の前記遮水性ゾーンの外側部分をなす本体ゾーンで構築された柔構造の柔管路構造物を連結してなり、
前記剛管路構造物は、下面が平坦であり且つ軸線方向に水路が設けられたコンクリート製の暗渠であり、又、該管路構造物の長さ方向の中間部位に、該中間部位を周方向に取り囲むように該中間部位の外面で突設されたコンクリート製の遮水鍔部を有する遮水壁部が設けられてなり、該剛管路構造物の、前記溜池側の内端部は取水構造物に連結されており、該取水構造物には、前記溜池で開放され且つ扉体により開閉可能となされた排泥用開口部が設けられてなり、又、該取水構造物の上部分には、前記堤体の内側部分において配設された、前記貯留水を取水するための樋体の下端樋部が連結されており、
又、前記柔管路構造物は、可撓性を有する樹脂管相互を可撓性継手部を介して順次連結することにより構成されており、該柔管路構造物の内端部は前記可撓性連結部を介して前記剛管路構造物に連結されると共にその外端は、堤体外に前記貯留水を排出するための排出口とされていることを特徴とする溜池の堤体における複合型底樋。
【請求項２】
前記剛管路構造物は、プレキャストコンクリート製であり且つ軸線方向に水路が設けられた暗渠ブロックの複数個を水密に接合一体化して構築されており、該暗渠ブロックが、プレキャストコンクリート製の支持板で支持されると共に、隣り合う支持板間に、ベントナイト又は、ベントナイトが混合された混合充填材が充填されてなることを特徴とする請求項１記載の溜池の堤体における複合型底樋。
【請求項３】
前記遮水壁部は、前記剛管路構造物の延長方向で見て前後に分割された、プレキャストコンクリート製の前壁部材と後壁部材との間で、前記暗渠ブロックの連結部に介在された遮水シートを挾持してなり、該遮水シートは、前記剛管路構造物の水路に連通する連通孔を有し、該連通孔の周縁部分は、前記暗渠ブロック間で挾持された状態にあり、又、前記前壁部材と前記後壁部材とは連結一体化されていることを特徴とする請求項２記載の溜池の堤体における複合型底樋。
【発明の詳細な説明】
【技術分野】
【０００１】
本発明は、溜池の堤体における複合型底樋に関するものであり、より詳しくは、剛構造の管路構造物と柔構造の管路構造物とを連結して構築されることを基本として、長期間に亘って安定構造を維持し、漏水を抑制して取水を確実に行うことのできる溜池の堤体における複合型底樋に関するものである。
【背景技術】
【０００２】
溜池の堤体における底樋は、該堤体の構造的な安定性を長期間に亘って確保させると共に、該堤体における漏水を抑制して溜池における取水を確実に行わせ、然も、溜池の底部に堆積した泥状物の排除を容易且つ確実に行わせる上で、非常に重要な構造物と言える。ここに溜池ａの堤体ｂは、図２８に示すように、全体が土構造物であって断面外形が台形状を呈しており、溜池側（内側部分）をなす、溜池の水が漏水するのを防止するように構成された透水性の低い遮水性ゾーンｃと、該遮水性ゾーンｃの外側部分をなす、現地で産出される土を盛土してなる本体ゾーンｄとから構成されている。
【０００３】
そして、かかる底樋としては従来、主として図２８に示すような、全体を剛構造の剛管路構造物ｅを用いて構築した剛構造の底樋ｆと、図３０に示すような、全体を柔構造の柔管路構造物ｇを用いて構築した柔構造の底樋ｈの２つのタイプがあった。
【０００４】
該剛構造の底樋ｆは、図２８に示すように、構築せんとする堤体ｂの下端部分を水平に横切るようにヒューム管を接続状態に敷設して後、その周囲を取り囲むように鉄筋を組立て、その後、現場打ちコンクリートを打設して全体を一体化して剛管路構造物ｅを構築してなるものであり、該剛管路構造物ｅは、その延長方向に略２０ｍの間隔を置いて２〜３箇所、可撓性目地部ｋが設けられていた。そして該剛管路構造物ｅの、堤体ｂの溜池側をなす前記遮水性ゾーンｃに存する部分で、その外面ｍに密着した状態で該剛管路構造物ｅを周方向に取り囲むようにコンクリート製の止水壁部ｎが設けられており、該止水壁部ｎは、該底樋に沿った水の流れを遮水する機能を有していた。
【０００５】
又、前記剛管路構造物ｅの溜池側の内端部ｐは取水構造物ｑに連結されており、該取水構造物ｑには、図２９に示すように、溜池ａで開放され且つ、上下動する扉体ｓにより開閉可能となされた排泥用開口部ｔが設けられてなり、該扉体ｓが開放されることによって、溜池ａの底部に堆積した泥状物を排除できるようになされていた。又、該取水構造物ｑの上部分ｕには、前記堤体ｂの内側部分において傾斜状態で配設された取水用の斜樋ｖの下端樋部ｗが連結されており、該斜樋ｖに設けられた取水バルブｙを操作軸ｚの回転操作により開くことによって該斜樋ｖ内に貯留水を流入させ、これを前記下端樋部ｗから前記取水構造部ｑ内に流入させることにより、溜池ａの貯留水を前記剛管路構造物ｅを通してその外端の排出口ａ１で堤体外に排出させ得るように構成されていた。
【０００６】
一方前記柔構造の底樋ｈは、図３０に示すように、構築せんとする堤体ｂの下端部分を水平に横切るように、鋳鉄管や樹脂管（４〜５ｍ程度の長さを有するもの）を、例えばソケット継手等の凹凸の嵌め合わせ構造からなる可撓性継手部ａ２を介して順次接続して配設することにより柔管路構造物ｇを構築してなるものであった。
【０００７】
そして該柔管路構造物ｇの、堤体ｂの溜池側をなす前記遮水性ゾーンｃに存する部分で、その外面ａ３に密着した状態で該柔管路構造物ｇを周方向に取り囲むようにコンクリート製の止水壁部ａ４が設けられており、該止水壁部ａ４は、該底樋に沿った水の流れを遮水する機能を有していた。
【０００８】
又、前記柔管路構造物ｇの溜池側の内端部ａ５は取水構造物ａ６に連結されている。該取水構造物ａ６には、図３１に示すように、溜池ａで開放され且つ、上下動する扉体ａ７により開閉可能となされた排泥用開口部ａ８が設けられてなり、該扉体ａ７が開放されることによって、溜池ａの底部に堆積した泥状物を排除できるようになされていた。又、該取水構造物ａ６の上部分ａ９には、前記堤体ａの内側部分において傾斜状態で配設された取水用の斜樋ａ１０の下端樋部ａ１１が連結されており、該斜樋ａ１０に設けられた取水バルブａ１２を操作軸ａ１３の回転操作により開くことによって該斜樋ａ１０内に貯留水を流入させ、これを前記下端樋部ａ１１から前記取水構造物ａ６内に流入させることにより、溜池ａの貯留水を前記柔管路構造物ｇを通してその外端の排出口ａ１４で堤体外に排出させ得るように構成されていた。
【０００９】
しかしながら、かかる従来の剛構造の底樋ｆや柔構造の底樋ｈによるときには次のような問題点があった。
【００１０】
〔１〕剛構造の底樋の問題点
前記堤体ｂは、前記のように全体が土構造物であって、溜池側としての内側部分をなす遮水性ゾーンｃと、該遮水性ゾーンｃの外側部分をなす本体ゾーンｄとから構成されており、該遮水性ゾーンｃを構成する土と該本体ゾーンｄを構成する土は、圧縮による沈下等の性状が異なる。そのため、施工現場でコンクリートを打設して構築してなる前記剛管路構造物ｅを用いる剛構造の底樋ｆによるときは、前記遮水性ゾーンｃと前記本体ゾーンｄとの境界部分でせん断力が作用して該剛管路構造物ｅが破損する問題が発生した。又、該遮水性ゾーンｃと該本体ゾーンｄにおける沈下の度合いによって該剛管路構造物ｅの周辺に隙間が生じ、この隙間を通して溜池の貯留水が漏水する現象が発生した。
【００１１】
なお前記のように、該剛管路構造物ｅには、その延長方向に略２０ｍの間隔を置いて２〜３箇所、可撓性目地部ｋが設けられてはいるが、前記沈下に追従し難い場合が生じ、該剛管路構造物ｅの破損や漏水現象を防止できない問題があった。
【００１２】
又、前記堤体ｂの形状からする剛管路構造物ｅの破損の問題もあった。即ち、該堤体ｂは断面外形が台形状を呈するため、土構造物である該堤体の沈下が不均一に発生することになり、従って、剛管路構造物ｅに堤体の土から作用する荷重が異なり、一体化した長い剛管路構造物ｅの一部分に集中荷重が作用して剛管路構造物の破損を招き、該剛管路構造物がその機能が果たせなくなる問題も発生した。かかる集中荷重の作用によって剛管路構造物が破損しないまでも、その周辺に隙間が発生し、この隙間を通して溜池の貯留水が漏水する現象が発生することにもなった。
【００１３】
〔２〕柔構造の底樋の問題点
前記した柔管路構造物ｇを具える柔構造の底樋ｈにあっては、土構造物である前記堤体の沈下に追従して該柔管路構造物ｇが下方に向けて緩やかに湾曲変形できるため、前記した剛管路構造物ｅにおけるように破損したり、管路構造物の周囲に隙間が生じて漏水しやすいという問題は発生しにくい。
【００１４】
しかしながら、前記鋳鉄管を、凹凸の嵌め合わせ構造からなる可撓性継手部ａ２を介して順次接続することによって柔管路構造物を構築してなる場合にあっては、鋳鉄管そのものは可撓性を有さず、継手部だけが可撓性を有するため、土の沈下に追従して柔管路構造物ｇが下方に向けて緩やかに撓み変形するということができず、４〜５ｍ毎の可撓性継手部ａ２で屈曲して追従することになる。そのため、該鋳鉄管の周辺に間隙が生じやすく、この間隙を通して溜池の貯留水が漏水する問題があった。又、該鋳鉄管は外形形状が円形であるために、該鋳鉄管の底部側への土の充填が難しくこの下側の充填部分に隙間が生じやすく、この隙間を通して漏水しやすい問題もあった。
【００１５】
一方、前記樹脂管を、凹凸の嵌め合わせ構造からなる可撓性継手部ａ２を介して順次接続することによって柔管路構造物ｇを構築してなる場合は、継手部が可撓性を有することに加えて該樹脂管自体が可撓性を有するため、該柔管路構造物ｇの全体が土の沈下に緩やかに追従できる。かかることから、該柔管路構造物ｇの周辺に隙間が生じにくい。しかしながらこの場合は、該柔管路構造物ｇがその全体に亘って緩やかに湾曲変形するために、その溜池側に設けられている前記止水壁部ａ４が該柔管路構造物ｇの湾曲変形に引きずられて、垂直面内で回転方向に変形して該止水壁部ａ４の周辺に隙間が生じ、この隙間を通して溜池の貯留水が漏水する問題があった。
【００１６】
更には、該柔管路構造物ｇの湾曲変形に伴って前記取水構造部ａ６が傾く場合も生じ、該取水構造部ａ６に対する前記斜樋の下端接続部分ａ１５が破壊されて、該取水構造部ａ６への貯留水の流入が不可能の事態を招いたり、該取水構造物が傾くことに伴い前記扉体の上下動作が阻害され、該扉体の開閉が円滑に行い難くなったり、該扉体が前記排泥用開口部を閉じた状態における止水性能が悪化する問題を招来した。
【００１７】
加えて、樹脂管は円形管で軽量であるため、構築された柔管路構造物ｇの周囲に土を充填して底樋を土中に埋設する際、該柔管路構造物ｇの底部側への土の充填が難しく、その周辺に隙間が生じやすく該隙間を通して漏水する問題があった。前記のように遮水性ゾーンｃは、溜池の貯留水が漏水するのを確実に防止できる安定性を要求されるのであるが、該遮水性ゾーンｃでかかる隙間が生じて漏水しやすいことは、堤体の底樋として重大な欠陥であった。
【００１８】
【特許文献１】特開２００７−２３１５３１号公報（図１、図４）
【発明の開示】
【発明が解決しようとする課題】
【００１９】
本発明は前記従来の問題点に鑑みて開発されたものであり、長期間に亘って安定構造を維持し、漏水を抑制して取水を確実に行うことができ、又、溜池の保守管理を確実に行うことを可能とする、溜池の堤体における複合型底樋の提供を課題とするものである。
【課題を解決するための手段】
【００２０】
前記課題を解決するため本発明は以下の手段を採用する。
即ち本発明に係る溜池の堤体における複合型底樋（以下複合型底樋という）は、溜池の堤体の下端部分に該下端部分を水平に横切るように設けられて溜池の貯留水を排出可能とする、溜池の堤体における複合型底樋であって、前記堤体の溜池側としての内側部分をなす、溜池の貯留水が漏水するのを防止する遮水性ゾーンで構築された剛構造の剛管路構造物に、可撓性連結部を介して、堤体の前記遮水性ゾーンの外側部分をなす本体ゾーンで構築された柔構造の柔管路構造物を連結してなる。そして前記剛管路構造物は、下面が平坦であり且つ軸線方向に水路が設けられたコンクリート製の暗渠であり、又、該管路構造物の長さ方向の中間部位に、該中間部位を周方向に取り囲むように該中間部位の外面で突設されたコンクリート製の遮水鍔部を有する遮水壁部が設けられてなり、該剛管路構造物の、前記溜池側の内端部は取水構造物に連結されている。該取水構造物には、前記溜池で開放され且つ扉体により開閉可能となされた排泥用開口部が設けられてなり、又、該取水構造物の上部分には、前記堤体の内側部分において配設された、前記貯留水を取水するための樋体の下端樋部が連結されている。又、前記柔管路構造物は、可撓性を有する樹脂管相互を可撓性継手部を介して順次連結することにより構成されており、該柔管路構造物の内端部は前記可撓性連結部を介して前記剛管路構造物に連結されると共にその外端は、堤体外に前記貯留水を排出するための排出口とされていることを特徴とするものである。
【００２１】
前記複合型底樋において、前記剛管路構造物を、プレキャストコンクリート製であり且つ軸線方向に水路が設けられた暗渠ブロックの複数個を水密に接合一体化して構築されたものとし、該暗渠ブロックが、プレキャストコンクリート製の支持板で支持されると共に、隣り合う支持板間に、ベントナイト又は、ベントナイトが混合された混合充填材が充填されたものとして構成するのがよい。
【００２２】
前記各複合型底樋において、前記遮水壁部は、前記剛管路構造物の延長方向で見て前後に分割された、プレキャストコンクリート製の前壁部材と後壁部材との間で、前記暗渠ブロックの連結部に介在された遮水シートを挾持したものとし、該遮水シートは、前記剛管路構造物の水路に連通する連通孔を有したものとし、該連通孔の周縁部分は、前記暗渠ブロック間で挾持された状態にあり、又、前記前壁部材と前記後壁部材とは連結一体化されたものとして構成するのがよい。
【発明の効果】
【００２３】
本発明は以下の如き優れた効果を奏する。
(1) 本発明に係る複合型底樋は、漏水しにくい遮水性ゾーンで、下面が平坦な剛管路構造物を構築し、該鋼管路構造物に、可撓性連結部を介して、本体ゾーンで構築される柔管路構造物を連結した構成を有している。従って本発明によるときは、長期間に亘って安定構造を維持し、漏水を抑制して止水を確実に行うことができ、然も、溜池の底部に堆積した泥状物の排除を容易且つ確実に行わせることができる。以下、これをより具体的に説明する。
【００２４】
(a) 上記構成を有する本発明によるときは、柔管路構造物が撓み変形したとしてもその変形が可撓性連結部で吸収されること、剛管路構造物は元々、漏水しにくい前記遮水性ゾーンに配設されていること、剛管路構造物の下面が平坦に形成されているため、該剛管路構造物の下部に密実に土を充填することができること、柔管路構造物が湾曲変形してもその変形の影響が前記剛管路構造物に及ばないことによって、堤体における漏水を効果的に抑制できることになる。
【００２５】
(b) 前記のように、剛管路構造物は、全体が剛構造であって撓み変形せず、又、該剛管路構造物は沈下しにくい遮水性ゾーンで構築されていて沈下しにくい。しかも、前記柔管路構造物の湾曲変形によって、その前端が沈下したり傾いたりする等の変形を生じても、この変形は前記可撓性連結部で吸収され、該剛管路構造物の構造的な安定性が長期間に亘って維持される。
【００２６】
かかることから、前記遮水性ゾーンと前記本体ゾーンとの境界部分で剪断力が作用して底樋破損を招いて漏水を生じさせたり、該鋼管路構造物に接続される取水構造物に対する取水用の樋体の連結部の破損を招いて取水不良を生じさせたりすることがない。又、該剛管路構造物が垂直面内で回転方向に変形することがないため、これが接続される取水構造物の排泥用開口部を開閉する扉体の上下動作が阻害されることなく、排泥用開口部の開閉操作を長期間に亘って円滑に行うことができる。これによって、溜池の維持管理のために、溜池の底部に堆積した泥状物の排除を長期間に亘って容易且つ確実に行い得ることとなる。
【００２７】
(2) 本発明に係る剛管路構造物を、プレキャストコンクリート製であり且つ軸線方向に水路が設けられた暗渠ブロックの複数個を水密に接合一体化して構築すると共に、該暗渠ブロックの下面をプレキャストコンクリート製の支持板で支持させ、隣り合う支持板間にベントナイト又は、ベントナイトが混合された混合充填材を充填させるときは、該充填されたベントナイトが水分を吸収して膨張することにより該膨張したベントナイトの上面を剛管路構造物の下面に密着状態となし得る。これにより、該下面と該上面との間で水が流れるのを阻止でき、該剛管路構造物の下面側における間隙（水みち）の発生を抑制でき、該剛管路構造物の下面側における遮水効果を向上させ得ることとなる。
【００２８】
(3) 前記剛管路構造物に付設する遮水壁部を、前後に分割された前壁部材と後壁部材とにより構成し、該前壁部材と後壁部材との間で、暗渠ブロックの接合部に介在された止水シートを挾持する如くなし、該止水シートには、該剛管路構造物の水路に連通する連通孔を設けたものとし、該連通孔の周辺部分を暗渠ブロック間で挾持された状態にすると共に該前壁部材と該後壁部材とを連結一体化する構成を採用するときは、前記止水壁部を、プレキャストコンクリート製の部材を用いて能率良く確実に構築し得る利点がある。
【実施例１】
【００２９】
図１において本発明に係る複合型底樋１は、溜池２の堤体３の下端部分５に、該下端部分５を水平に横切るように配設されており、溜池２の貯留水６を排出させるものである。そして該堤体３は、全体が土構造物であって断面外形が台形状を呈しており、透水性の低い遮水性ゾーン７と、その外側部分をなす本体ゾーン９とから構成されている。該遮水性ゾーン７は、溜池２側（内側部分）をなし、溜池の貯留水６が漏水するのを防止するゾーンであり、砂利と粘土の混合物からなる盛土材を盛土して構築されている。又、前記本体ゾーン９は、前記遮水性ゾーン７の外側部分をなすものであり、現地で産出される土を盛土して構築されている。
【００３０】
該複合型底樋１の基本的な構成を図１に基づいて説明すれば、前記遮水性ゾーン７で構築された剛構造の剛管路構造物１０に、可撓性連結部１１を介して、前記本体ゾーン９で構築された柔構造の柔管路構造物１２を連結してなるものである。
【００３１】
該剛管路構造物１０は、図２〜３に示すように、下面１３が平坦であり、本実施例においては水平面に形成されており、且つ軸線方向に水路１５（図３）が設けられたコンクリート製の暗渠であり、その長さ方向の中間部位１６に遮水壁部１７が設けられている。該遮水壁部１７は、該中間部位１６を周方向に取り囲み且つ該中間部位１６の外面１９で突設されたコンクリート製の遮水鍔部２０を有している。そして該剛管路構造物１０の前記溜池２側の前端部２１は取水構造物２２に連結されている。該取水構造物２２には、前記溜池２で開放され且つ扉体２３により開閉可能となされた排泥用開口部２５（図３）が設けられている。又、該取水構造物２２の上部分（頂部）２６には、図２に示すように、前記貯留水を取水するための樋体２７の下端樋部（本実施例においては、堤体の内側傾斜面に沿って傾斜状態で配設された取水用の斜樋２９の下端部分）３０が連結されている。
【００３２】
一方、前記柔管路構造物１２は、図１、図４に示すように、樹脂管３１，３１相互を可撓性継手部３２を介して順次接続することにより構成されており、軸線方向に水路３３が設けられている。そして、該柔管路構造物１２の内端部（前端部）４０は前記可撓性連結部１１を介して前記剛管路構造物１０に連結されると共に、その外端（後端）は、図１、図５に示すように、堤体外に前記貯留水６を排出するための排出口４１とされている。
【００３３】
以下、これをより具体的に説明する。
前記取水構造物２２は図２〜３、図６〜７に示すように、ボックス状に構成されており、施工箇所の基礎面（本実施例においては、後述する支持板８２の上面８３）４２上で、軸線方向を前記複合型底樋１の延長方向に合わせてプレキャストコンクリート製の箱型取水部材４３を配設すると共に、その前後の開放端４５，４６をプレキャストコンクリート製の前の端面板４７とプレキャストコンクリート製の後の端面板４９で、ブチルゴム等の弾性止水材５０を介して閉塞してなる。該箱型取水部材４３と該前後の端面板４７，４９とを一体化するには、例えば図６〜７に示すように、該箱型取水部材４３の四隅部において、ＰＣ鋼材からなる連結棒５１を挿通させ、該連結棒５１を緊張して行うことができる。
【００３４】
該箱型取水部材４３は、図８に示すように、角筒状を呈しており、前記連結棒５１を挿通させるための挿通孔５２が四隅部に貫設されている。そしてその頂板５３には、その側方に稍変位した状態で円形状の流入開口５５が貫設されている。
【００３５】
又、前記前の端面板４７は図８に示すように、上下に稍長い矩形板状を呈し、その上端５６には、前方（溜池側）に向けて突出する張出支持板５７が突設されている。そして、下側の中央部分には前記排泥用開口部２５が設けられており、該排泥用開口部２５の四隅部には、前記箱型取水部材４３の四隅部に設けた前記挿通孔５２に連通せしめられ且つ前記連結棒５１を挿通させるための挿通孔５９，５９，５９，５９が設けられている。該挿通孔５９の前側部分は、拡大した連結用凹部６０とされている。
【００３６】
そして、かかる構成を有する前の端面板４５が前記箱型取水部材４３の前の開放端４５を弾性止水材５０（図７）を介して閉塞した状態で、その上側部分６２が、該箱型取水部材４３の上面６１の上方に突出状態となる。又、該前の端面板４７の中央部の上側部位には水抜き孔６３（図６）が設けられており、該水抜き孔６３は、該前の端面板４７が前記取水構造物２２を構築した状態で、該前の端面板４７の後側に溜まった水を前側に排水させる。
【００３７】
前記後の端面板４９は、図８に示すように矩形板状を呈し、その四隅部には、前記箱型取水部材４３の四隅部に設けた前記挿通孔５２に連通せしめられ且つ前記連結棒５１を挿通させるための外挿通孔６５が設けられると共に、該外挿通孔６５の後側部分は、拡大した連結用凹部６６とされている。又、該後の端面板４９の中央部分には、図８、図３に示すように、前記剛管路構造物１０の水路１５に連通する円形状の流出口６７が設けられており、その四隅部には、前記剛管路構造物１０の前記前端部２１を連結するための、ＰＣ鋼材からなる連結軸６９（図１５）を挿通させる内挿通孔７０が貫設されている。該内挿通孔６５の前側部分は、拡大した連結用凹部６８とされている。
【００３８】
然して、前記箱型取水部材４３の前後の開放端４７，４９を、周方向に連続する弾性止水材５０，５０（図７）を介して前の端面板４７と後の端面板４９で閉塞し、この状態で、図７に示すように、四隅部の夫々において連通状態にある前記挿通孔５９，前記挿通孔５２，前記外挿通孔６５に前記連結棒５１を挿通すると共に、前記両端の連結用凹部６０，６６において、該連結棒５１の両端部分をなす雄ネジ部７１，７１に、座金７２を介してナット７３を螺合し締め付けることにより全体を一体化でき、これにより、図２〜３、図６に示すようなボックス状の前記取水構造物２２を構成できる。なお該連結用凹部６０，６６は、ナット７３を締め付けた後にモルタル７５（図７（Ａ）を充填する。
【００３９】
該取水構造物の前記排泥用開口部２５の下面７８は、本実施例においては、図３、図１に示すように、その前方に延長する水平な洗掘防止のためのコンクリート製の水平保護面７６に略面一に連なり、この水平保護面７６は、溜池２の底面７７に面一状態に連なっている。
【００４０】
又本実施例において該取水構造物２２は、図６に示すように、その下面７９の左右部分８０，８０が、施工箇所の設置面８１に敷設されたコンクリート製の支持板（例えば１００ｍｍ程度の厚さを有する）８２，８２の上面（前記基礎面４２）８３，８３に設置され、該支持板８２，８２間にベントナイト８５が密に充填されている。このように充填されたベントナイト８５は、水分吸収に伴って膨張するため、前記取水構造物２２の下面７９に、膨張したベントナイト８５の上面８７が密着状態となり、これにより、該下面８６と該上面８７との間で水が流れるのが阻止され、前記取水構造物２２の下面側における止水効果が向上されている。
【００４１】
又、前記前の端面板４７に設けられている前記排泥用開口部２５の両側部位には、図９〜１０に示すように、上下方向に延長するガイド部８９、８９が設けられており、前記扉体２３は、その両側部分９１，９１が該左右のガイド部８９、８９でガイドされて昇降可能となされている。そして該扉体２３は、図２、図９（Ａ）、図１０（Ａ）に示すように、最下降状態で該排泥用開口部２５を閉じる一方、図９（Ｂ）、図１０（Ｂ）に示すように、最上昇状態で該排泥用開口部２５を開放するようになされている。
【００４２】
該扉体２３の昇降操作は、図９〜１０に示すような昇降装置９２を用いて行われる。該昇降装置９２は、前記張出支持板５７の上面に設置された支持台９３のラック駆動装置に設けられたハンドル９５を正逆回転操作することによって上下動するラック棒９６の下端に、前記扉体２３がピンで連結されており、該ラック棒９６の上下動によって該扉体２３が前記のように昇降できる。そして、図示しない階段を降りて前記昇降装置９２のハンドル９５を回転操作して前記扉体２３を昇降操作する。
【００４３】
又、前記箱型取水部材４３の前記頂板５３に設けられている前記流入開口５５には、図１１、図２に示すように、前記取水用の樋体２７の下端樋部３０が連結されている。該下端樋部３０は、垂直筒体１０３の上端に、前記溜池２の内側部分の法面１０５に向けて突出する傾斜筒体１０６が屈曲形成されてなり、該垂直筒体１０３の下端部分１０７が前記流入開口５５に挿入されてモルタル１０９で固定されている。そして、該傾斜筒体１０６の上端が開放されて、前記溜池２の貯留水６を取水するための下端の取水口１１０が形成されている。又、該傾斜筒体１０６の側面部には、図１１〜１２に示すように、前記溜池２の内側部分において傾斜状態（前記法面１０５に沿って傾斜しており、且つ、該法面１０５に直交する矢視Ｆ方向で見て傾斜した状態）で配設された斜樋１１２の下端１１３が連結されている。本実施例においては、該斜樋１１２と前記下端樋部３０、傾斜筒体１０６とで前記取水用の樋体２７が構成されている。
【００４４】
そして、該斜樋１１２の上端と長さ方向の中間部位には、前記溜池２の貯留水６を取水するための上端の取水口１１５と中間の取水口１１６が設けられている。これらの取水口１１０，１１６，１１５は、共に、前記法面１０５の傾斜方向で上下スライドし得る開閉板１１７で開閉可能とされており、該開閉板１１７は、該法面１０５に沿って配設された操作ロッド１１９の下端１２０に連結されている。該操作ロッド１１９は、その軸線方向で適宜、軸受１２１で支持され、その上端部分は、前記堤体３の頂上部分に配設された軸受台１２５で軸支されてなり、該操作ロッド１１９の上端に取り付けられたハンドル１２２を正逆回転操作することによって前記開閉板１１７を上下スライド可能となされている。
【００４５】
然して、溜池２の水深に応じて所要高さの取水口を開くことにより該斜樋１１２内に貯留水６を流入させることができ、これを、前記下端樋部３０を介して前記取水構造物２２内に流入させることにより、該貯留水を、前記剛管路構造物１０と前記柔管路構造物１２を通して流すことができ、該柔管路構造物１２の外端の排出口４１で堤体外に排出させ得る。
【００４６】
前記剛管路構造物１０は、本実施例においては図２〜３、図１３〜１４に示すように、プレキャストコンクリート製であり且つ軸線方向に水路１５が設けられた暗渠ブロック１２３の複数個を水密に接合一体化して構築されている。該暗渠ブロック１２３としては、長さの長い第１の暗渠ブロック１２３ａと、長さの短い第２の暗渠ブロック１２３ｂの２種類を用いる。
【００４７】
該第１の暗渠ブロック１２３ａは図８に示すように、下面１２５と上面１２６が水平面に形成されると共に左右の外側面１２７，１２７が傾斜面に形成された、横断面外形が台形状を呈し、且つ、軸線方向に円形の水路（内径は、例えば６００ｍｍ）１５が設けられており、全長は例えば１５００ｍｍに設定されている。又、左右の側面部１２７，１２７の上下には夫々、ＰＣ鋼材からなる連結軸６９（図１４〜１５）を挿通させるための挿通孔１３０が、該第１の暗渠ブロック１２３ａの左右の側面部１２７，１２７の上下位置で貫設されている。そして、該第１の暗渠ブロック１２３ａの左右の側面部１２７，１２７には、図８、図１５に示すように、各挿通孔１３０をその長さ方向の中央部分で途切れ状態とするように、前記外側面１２７，１２７を凹ませて連結用凹部１３１が設けられている。又、該第１の暗渠ブロック１２３ａの前端面１３２には、図８、図１６（Ｃ）に示すように、前記水路１５の前端１３３を取り囲むようにシール材嵌着溝１３５が設けられ、該シール材嵌着溝１３５に環状の弾性シール材１３６を嵌め入れて接着されており、該弾性シール材１３５が該前端面１３２から突出状態とされている。
【００４８】
又、前記第２の暗渠ブロック１２３ｂは、図８、図１３〜１４に示すように、前記第１の暗渠ブロック１２３ａと同様の構成を有してはいるが長さは短く形成された（例えば１０００ｍｍに形成されている）ブロック本体１３７の円形の水路１５の後端１５４に、可撓性樹脂管１３９を用いてなる前記可撓性連結部１１が突設されている。
【００４９】
該可撓性樹脂管１３９は本実施例においては図１３、図１７〜１８、図２４に示すように、全長が例えば８００ｍｍの長さを有し、例えばポリエチレン製の円筒管１４１の外周面に螺旋状のリブ１４２が巻回されてなる、軸線方向に通水用円形孔１４３が設けられたリブ付き耐圧円筒管であり、その後端側の部分１３９ａは、後述する樹脂管２２３のソケット部２３７に嵌め入れられる。そして、該後端側の部分１３９ａの外周面１４６に周設された嵌着溝１４７に、リング状を呈するブチルゴム等のゴム製シール部材１４９の基端部１５０が嵌着されており、その先端部１５１が該外周面１４６から突出している。かかる構成を有する可撓性樹脂管１３９は、その前側部分１５２が、その通水用円形孔１４３の内面１５３を前記水路１５の内面１５５と合致させた状態で前記ブロック本体１３７に埋設されている。これにより、前記可撓性樹脂管１３９の後側部分が前記ブロック本体１３７の後端１５４に、例えば５００ｍｍ程度突出状態となって前記可撓性連結部１１が形成されている。
【００５０】
然して、該第１の暗渠ブロック１２３ａと該第２の暗渠ブロック１２３ｂとを用いて剛管路構造物１０を構築するに際しては、先ず図１３〜１５に示すように、１番目の第１の暗渠ブロック１２３ａ１の前端面１３２を、その水路１５の前端１３３を前記取水構造物２２の前記流出口６７に連通させると共に前記挿通孔１３０を前記内挿通孔７０に連通させて、前記後の端面板４９の後面１５６に当接させる。この状態で、該第１の暗渠ブロック１２３ａ１の四隅部の夫々において連通状態にある前記挿通孔１３０と前記内挿通孔７０に前記連結軸６９を挿通すると共に、図１５、図１６（Ａ）（Ｂ）に示すように、該連結軸６９の両端部分をなす雄ネジ部１５７，１５７を前記連結用凹部６８，１３１に突出状態とし、該連結用凹部６８，１３１において、該雄ネジ部１５７，１５７に、座金１５９を介してナット１６０を螺合し締め付け、該第１の暗渠ブロック１２３ａ１を前記弾性シール材１３６を圧縮状態にして前記取水構造物２２に連結する。
【００５１】
その後、図１３〜１５に示すように、２番目の第１の暗渠ブロック１２３ａ２の前端面１３２を、その水路１５の前端１３３を前記１番目の第１の暗渠ブロック１２３ａ１の前記水路１５の後端１６１に連通させると共に挿通孔１３０，１３０相互を連通させて、該１番目の第１の暗渠ブロック１２３ａ１の後端面１６２に当接させ、該第１の暗渠ブロック１２３ａ１，１２３ａ２の四隅部の夫々において連通状態にある前記挿通孔１３０，１３０に前記連結軸６９を挿通すると共に、図１５、図６（Ｂ）に示すように、該連結軸６９の両端部分をなす雄ネジ部１５７，１５７を前記連結用凹部１３１，１３１に突出状態とし、前記連結用凹部１３１，１３１において、該雄ネジ部１５７，１５７に、座金１５９を介してナット１６０を螺合し締め付け、該第１の暗渠ブロック１２３ａ１，１２３ａ２相互を、前記弾性シール材１３６を圧縮状態にして連結する。
【００５２】
その後、図１３〜１５に示すように、３番目の第１の暗渠ブロック１２３ａ３を前記２番目の第１の暗渠ブロック１２３ａ２の後端に、連結軸６９を用いて同様に連結すると共に、４番目の第１の暗渠ブロック１２３ａ４を該３番目の第１の暗渠ブロック１２３ａ３の後端に、連結軸６９を用いて同様に連結する。然る後、前記第２の暗渠ブロック１２３ｂを、該４番目の第１の暗渠ブロック１２３ａ４の後端に、連結軸６９を用いて同様に連結する。これにより、可撓性連結部１１が後端に設けられた剛管路構造物１０が構築されることになる。なお、前記各連結用凹部１３１には、ナット１６０を締め付けた後にモルタルを充填する。
【００５３】
なお本実施例においては図２、図１３に示すように、１番目の第１の暗渠ブロック１２３ａ１の前側部分１６５の下面１６６と、１番目の第１の暗渠ブロック１２３ａ１と２番目の暗渠ブロック１２３ａ２相互の連結部分１６７の下面１６９，１７０と、該２番目の第１の暗渠ブロック１２３ａ２と３番目の暗渠ブロック１２３ａ３相互の連結部分１７１の下面１７２，１７３と、４番目の第１の暗渠ブロック１２３ａ４と前記第２の暗渠ブロック１２３ｂの連結部分１７５の下面１７６，１７７と、該第２の暗渠ブロック１２３ｂの後側部分１７９の下面１８０が、夫々、その全幅に亘って、施工箇所の設置面８１に敷設されたコンクリート製の支持板（例えば１００ｍｍ程度の厚さを有する）１８１の上面１８２に載設され、隣り合う支持板１８１，１８１間にベントナイト１８３が密に充填されている。この密な充填は、例えば、敷設した隣り合う支持板１８１，１８１間にベントナイト１８３を盛り上がる状態に収容して後、該支持板１８１，１８１上に暗渠ブロック１２３を載置することにより、容易に達成できる。
【００５４】
このように充填されたベントナイト１８３は、水分吸収に伴って膨張するため、図１９に示すように、前記剛管路構造物１０の下面１８５に、膨張したベントナイト１８３の上面１８６が密着状態となる。これにより、該下面１８５と該上面１８６との間で水が流れるのが阻止され、前記剛管路構造物１０の下面側における隙間（水みち）の発生が防止され、該剛管路構造物１０の下面側における遮水効果が向上されている。なお本実施例においては図２、図１３に示すように、３番目の暗渠ブロック１２３ａ３と４番目の暗渠ブロック１２３ａ４の連結部分に前記遮水壁部１７が設けられているため、該遮水壁部１７によって、前記支持板１８１，１８１間のベントナイト１８３が分断された状態となっている。
【００５５】
前記遮水壁部１７は、本実施例においては図３、図１３、図２０に示すように、前記剛管路構造物１０の延長方向で見て前後に分割された前壁部材１８５と後壁部材１８６との間で、前記３番目と４番目の暗渠ブロック１２３ａ３，１２３ａ４の連結部に介在された遮水シート１８７を挾持してなる。該遮水シート１８７は、該暗渠ブロック１２３ａ３，１２３ａ４の各水路１５，１５に連通する円形の連通孔１８９を有しており、該連通孔１８９の周縁部分１９０は、該暗渠ブロック１２３ａ３，１２３ａ４間で挾持された状態にあり且つ、前記前壁部材１８５と後壁部材１８６とが連結一体化されてなるものである。
【００５６】
前記遮水シート１８７は本実施例においてはゴム製のものであり、前記連通孔１８９の周縁部分１９０が前記暗渠ブロック１２３ａ３，１２３ａ４間で弾性圧縮状態に挾持されることにより、両暗渠ブロックの連結部１９１を止水でき、剛管路構造物１０内を流れる水の漏水を防止する。
【００５７】
前記前壁部材１８５と前記後壁部材１８６は、安定性や耐久性に乏しい前記遮水シート１８７を挾持して該遮水シート１８７による止水効果を持続させると共に、前記剛管路構造物１０の外面１９で突設された遮水鍔部２０を形成し、該剛管路構造物１０に沿った水の流れを遮水するものである。
【００５８】
該前壁部材１８５は、図２０に示すように、略正方形板状を呈するプレキャストコンクリート製であり、その後面１９２は垂直面に形成されると共に、その前面１９３は、上方に向けて後方に傾斜する傾斜面に形成されている。そして中央部分には、前記３番目の第１の暗渠ブロック１２３ａ３の後端部分１９５を密接に嵌め入れることのできる嵌入孔１９６が設けられている。又前記後壁部材１８６は、略正方形板状を呈するプレキャストコンクリート製であり、その前面１９７は垂直面に形成されると共に、その後面１９９は、上方に向けて後方に傾斜する傾斜面に形成されている。そして中央部分には、前記４番目の第１の暗渠ブロック１２３ａ４の前端部分２００を密接に嵌め入れることのできる嵌入孔２０１が設けられている。
【００５９】
本実施例においては前記前壁部材１８５と後壁部材１８６は夫々、図２１に示すように、同様の構成で四分割されており、左右方向に長い矩形板状を呈し、前記暗渠ブロック１２３ａ３，１２３ａ４の下面２０２，２０３の下方に突出する状態で配設される下段ブロック片２０５ａ，２０５ｂと、前記暗渠ブロック１２３ａ３，１２３ａ４の左右に位置して該下段ブロック２０５ａ，２０５ｂ上に載置される左右の中段ブロック片２０６ａ，２０６ａ、２０６ｂ，２０６ｂと、左右方向に長い矩形板状を呈しており、前記暗渠ブロック１２３ａ３，１２３ａ４の上面２０７，２０８の上方に突出する状態で前記左右の中間ブロック片２０６ａ，２０６ａ、２０６ｂ，２０６ｂ上に載置される上段ブロック片２０９ａ，２０９ｂとから構成されている。
【００６０】
そして前記前壁部材１８５は、図２０に示すように、前記下段ブロック片２０５ａと中段ブロック片２０６ａとを、中段ブロック２０６ａと上段ブロック２０９ａとを、夫々、ブロックの前面１９３において連結プレート２１１で連結し、全体を一体化して構成されている。又前記後壁部材１８６は、前記下段ブロック片２０５ｂと中段ブロック片２０６ｂとを、中段ブロック２０６ｂと上段ブロック２０９ｂとを、夫々、ブロックの後面１９９において連結プレート２１１で連結し、全体を一体化して構成されている。
【００６１】
そして、このように構成された前壁部材１８５と後壁部材１８６とは、図２２に示すように、その左右の側面２１３，２１５の内端側に向き合う状態で凹設された凹所２１８，２１８の内端に形成されて前後に重ね合わせられてなる連結片部２１６，２１７相互をボルト２１９で連結することにより一体化されている。
【００６２】
図２３は、かかる構成を有する遮水壁部１７を前記下段ブロック片２０５ａ，２０５ｂ、中段ブロック片２０６ａ，２０６ａ、２０６ｂ，２０６ｂ、上端ブロック片２０９ａ，２０９ａとを用いて前記遮水壁部１７を構築する施工工程の一例を示すものである。先ず図２３（Ａ）に示すように、施工箇所の設置面８１に敷設されたコンクリート製の基礎板２２０上に、前記前後の下段ブロック片２０５ａ，２０５ｂを前記遮水シート１８７を挾持するように載置し、該前後の下段ブロック片２０５ａ，２０５ｂを、前記のようにボルト２１９で連結することによって一体化し、該遮水シート１８７を圧縮状態とする。
【００６３】
その後、図２３（Ｂ）に示すように、該下段ブロック片２０５ａ，２０５ｂの左右方向の中央部分において、前記３番目の第１の暗渠ブロック１２３ａ３の後端部分１９５を載置すると共に、前記４番目の第１の暗渠ブロック１２３ａ４の前端部分２００を載置する。このとき、両ブロックの各水路１５，１５を前記連結孔１８９に連通させる。その後、該後端部分１９５の左右に、前記中段のブロック片２０６ａ，２０６ａ、２０６ｂ，２０６ｂを、前記遮水シート１８７を挾持するように、該後端部分１９５に当接させて載置する。その後、該中段ブロック片２０６ａ，２０６ａを前記後端部分１９５に固定すると共に、該中段ブロック片２０６ｂ，２０６ｂを前記前端部分２００に固定する。
【００６４】
又、前後の中段ブロック片２０６ａ、２０６ｂを、前記のようにボルト２１９で連結することによって一体化し、該遮水シート１８７を圧縮状態とする。この状態で、中段ブロック片２０６ａ，２０６ａの上面、中段ブロック片２０６ｂ，２０６ｂの上面、前記３番目の第１暗渠ブロック１２３ａ３の上面、前記４番目の第１暗渠ブロック１２３ａ４の上面は、同一の水平面２０８に存する。
【００６５】
その後、図２３（Ｃ）に示すように、該水平面２０８上の前後に、図示しない緩衝材を介在させて、前記上段ブロック片２０９ａ、２０９ｂを、前記遮水シート１８７を挾持するように載置する。そして、該上段ブロック片２０９ａ、２０９ｂを、前記のようにボルト２１９で連結することによって一体化し、該遮水シート１８７を圧縮状態とする。
【００６６】
そして、かかる施工過程において前記下段ブロック片２０５ａ，２０５ｂと中段ブロック片２０６ａ，２０６ｂとを、中段ブロック片２０６ａ，２０６ｂと上段ブロック片２０９ａ，２０９ｂとを、夫々、ブロックの前面１９３とブロックの後面１９９において、前記のように連結プレート２１１で連結し、全体を一体化する。
【００６７】
このようにして構成された遮水壁部１７は、その前後の面２１１，２２２（図２〜３）が傾斜しており側面視で台形状を呈するため、これを土中に埋設する際に密実に土を充填することができ、その周辺に隙間を生じさせにくい。
【００６８】
前記柔管路構造物１２は図２４〜２５に示すように、例えば５０００ｍｍ長さの、可撓性を有する樹脂管２２３，２２３相互を、図２５に示すように、可撓性継手部２２５を介して順次連結することにより構成されている。該樹脂管２２３は例えば、軸線方向に円形の水路（内径は、例えば６００ｍｍ）２２６が設けられたポリエチレン製の円筒管の外周面２２７にリブ２２９が螺旋状に巻回され該外周面２２７に固定されてなる、耐圧性と可撓性を有する樹脂管本体２３０を具える。そして、該樹脂管本体２３０の後端２３１に、連結筒部２３２が一連に設けられており、図２５に示すように、該連結筒部２３２の外周面の前端側に周設された嵌着溝２３３にリング状を呈するブチルゴム等のゴム製シール部材２３５が嵌着されている。又、該樹脂管本体２３０の前端２３６には、隣り合う樹脂管２２３の前記連結筒部２３２を嵌め入れることのできるソケット部２３７が設けられており、該ソケット部２３７に該連結筒部２３２を嵌め入れることにより、該ゴム製シール部材２３５が適宜弾性圧縮状態となって弾性的に屈曲し得る前記可撓性継手部２２５を介して、樹脂管２２３，２２３相互が連結される。
【００６９】
樹脂管２２３，２２３相互を該可撓性継手部２２５を介して順次連結して構成された柔管路構造物１２は、該樹脂管２２３そのものが可撓性を有すると共に、該可撓性継手部２２５が、その軸線方向に多少伸長できしかも回転変形できる可撓性を有するため、該柔管路構造物１２は全体として可撓性を有する。そして該可撓性継手部２２５においては、前記ゴム製シール部材２３５が弾性圧縮状態となるために継手部の止水が確保される。
【００７０】
かかる構成を有する柔管路構造物１２の、その後端のソケット部２３７に前記可撓性樹脂管１３９の後端側部分１３９ａが、図１８に示すように嵌め込まれることにより、該柔管路構造物１２が前記可撓性連結部１１を介して前記剛管路構造物１０に連結されてなる前記複合型底樋１（図１）が構築されることになる。該可撓性連結部１１は、図１８に示すように、該ソケット部２３７に前記後端側の部分１３９ａが差し込まれることによって、前記ゴム製シール部材１４９が適宜弾性圧縮状態となるため、連結部がその軸線方向に多少伸長できしかも回転変形できる可撓性を有しており、又、該可撓性連結部１１においては、前記ゴム製シール部材１４９が弾性圧縮状態となるために連結部の止水が確保されている。
【００７１】
そして、かかる構成を有する柔管路構造物１２の後端（前記外端）としての前記排出口４１は、図５に示すように、枡部２３９の側壁部２４０に設けた孔部２４１に連結され、該枡部２３９内に排出された溜池の貯留水を水路部材２４２を介して水田等に供給可能となされている。
【００７２】
このようにして構築された前記取水構造物２２上、前記剛管路構造物１０上、前記遮水壁部１７上、及び、前記柔管路構造物１２上に所要に盛土されて前記堤体３（図１）が構築される。その際、前記剛管路構造物１０は、図２６に示すように、下面２４３が平坦（本実施例では水平）であるため、このように盛土する際、該剛管路構造物１０の下部２４４に密実に土を充填することができ、その周辺に隙間を生じさせにくい。
【００７３】
次に、かかる構成を有する複合型底樋１の作用を説明する。該扉体２３は、図９（Ａ）、図１０（Ａ）に示すように、常時は最下降状態とし、前記排泥用開口部２５を閉じた状態にしておく。そして、溜池２の貯留水６を堤体外に排出するに際しては、前記斜樋１１２（図１２）に設けられている取水口１１５，１１６，１１０の所要のものを、前記ハンドル１２２で前記操作ロッド１１９を回転操作して開放する。これにより、図１１に示すように、溜池２の貯留水６を、前記下端樋部３０を介して前記取水構造物２２に流入させることができ、該貯留水を、前記剛管路構造物１０と前記柔管路構造物１２を通して流し、該柔管路構造物１２の前記排出口４１で前記枡部２３９内に排出させることができる。
【００７４】
そして、溜池２の底部に堆積した泥状物を排除するに際しては、前記昇降装置９２をハンドル９５の回転操作によって作動させ、前記扉体２３を上昇させて前記排泥用開口部２５を開放させる。これにより、溜池２内に残留している貯留水が該排泥用開口部２５を通して複合型底樋１内に一気に流入するが、これと同時に泥状物も流入するため、この泥状物を前記枡部２３９内に順次排出させることができる。
【００７５】
ところで前記溜池の堤体３は全体が土構造物であり、図１に示すように、溜池側としての内側部分をなす遮水性ゾーン７と、該遮水性ゾーン７の外側部分をなす本体ゾーン９とから構成されているため、該遮水性ゾーン７を構成する土と該本体ゾーン９を構成する土とは、圧縮による沈下等の性状が異なる。又、堤体３の断面外形が台形状を呈するために、土構造物である該堤体３の沈下が不均一に発生することになる。
【００７６】
このように堤体３は、その構造上から、土の沈下を回避し難いのであるが、溜池の堤体における底樋には、かかる沈下に極力影響されないで、該堤体３における漏水を抑制して溜池における取水を確実に行わせると共に、前記のように、溜池２の底部に堆積した泥状物の排除を容易且つ確実に行わせることが要求される。取り分け重要なことは、溜池２の貯留水の漏水を防止するための遮水壁部１７を有すると共に、取水用の樋体の下端樋部３０が連結されており、然も、排泥用開口部２５を開閉する扉体２３が付設されてなる剛管路構造物１０を、長期間に亘って安定的に維持させることである。
【００７７】
本発明はかかる要求に応じ得るのであるが、これを以下具体的に説明する。
(1) 堤体における漏水抑制について
前記のように構成された複合型底樋１は、図１に示すように、前記剛管路構造物１０に、可撓性連結部１１を介して、柔管路構造物１２が連結されている。然して、かかる構成を有する複合型底樋１によるときは、前記柔管路構造物１２の有する前記可撓性によって、前記本体ゾーン９の沈下に追従して該柔管路構造物１２が下方に向けて緩やかに無理なく湾曲変形できる。該柔管路構造物１２がこのように湾曲変形したことに伴いその前端部分２４５が沈下したり傾いたりする等の変形を生ずるが、この変形は前記可撓性連結部１１で吸収される。
【００７８】
そして、該剛管路構造物１０は前記したように、コンクリート製で重量が大であり、且つ全体が剛構造物であって撓み変形せず、又、該剛管路構造物１０は、沈下しにくい遮水性ゾーン７で構築されていることから沈下することもない。
【００７９】
かかることから、柔管路構造物１２が撓み変形したとしても剛管路構造物１０はそれに影響されて沈下したり、垂直面内で回転方向に変形したりせず、それ故、該剛管路構造物１０の周辺に隙間が生じにくい。このような独特の作用効果に加え、該剛管路構造物１０は元々、漏水しにくい前記遮水性ゾーン７に配設されている。かかることから、溜池の貯留水が該剛管路構造物１０に沿って漏水する恐れが少ない。そして、該剛管路構造物１０の下面２４３が平坦に形成されているため（図２６）、前記のように盛土する際、該剛管路構造物１０の下部２４４に密実に土を充填することができ、該剛管路構造物１０の周辺に隙間を生じさせにくい。然も、本実施例においては前記のように、該剛管路構造物１０の下面側にベントナイト１８３が充填されており、これが水分を吸収して膨張し硬化することから、該剛管路構造物１０の下面側に隙間が生じにくい。そのため、このような漏水をより確実に防止できることになる。そして、経年変化や施工不良等によって多少の漏水が生じたとしても、前記のように、剛管路構造物１０の長さ方向の中間部位に遮水壁部１７が設けられているため、該遮水壁部１７によって該剛管路構造物１０に沿った水の流れを遮水できることになる。
【００８０】
遮水壁部１７による該遮水作用について更に説明すれば、前記のように、柔管路構造物１２が湾曲変形してもその変形の影響が前記剛管路構造物１０に及ばないことから、該遮水壁部１７が、垂直面内で回転方向に変形して該遮水壁部１７の周辺に隙間を生じさせるといった問題を生じさせない。従って、この隙間を通して溜池の貯留水が漏水するといった従来の問題点が解消されることになり、該遮水作用を長期間に亘って定期的に維持させ得ることになる。
【００８１】
(2) 取水の確実化と溜池の保守管理の確実化について
前記のように剛管路構造物１０は、全体が剛構造であって撓み変形せず、又、該剛管路構造物１０は沈下しにくい遮水性ゾーン７で構築されていて沈下しにくい。しかも、前記柔管路構造物１２の湾曲変形によって、その前端が沈下したり傾いたりする等の変形を生じても、この変形は前記可撓性連結部１１で吸収され、該剛管路構造物１０の構造的な安定性が長期間に亘って維持される。
【００８２】
かかることから、従来のように、前記遮水性ゾーン７と前記本体ゾーン９との境界部分で剪断力が作用して底樋破損を招いて漏水を生じさせたり、前記下端樋部３０の前記取水構造物２２に対する連結部２４６（図１１）が破損されて取水不良を生じさせたりすることがない。又該剛管路構造物１０が、垂直面内で回転方向に変形することがないため、これが接続される取水構造物２２の排泥用開口部２５を開閉する扉体２３の上下動作が阻害されることなく、排泥用開口部２５の開閉操作を長期間に亘って円滑に行うことができる。これによって、溜池２の維持管理のために、溜池２の底部に堆積した泥状物の排除を長期間に亘って容易且つ確実に行い得ることとなる。
【実施例２】
【００８３】
本発明は、前記実施例で示したものに限定されるものでは決してなく、「特許請求の範囲」の記載内で種々の設計変更が可能であることはいうまでもない。その一例を挙げれば次のようである。
【００８４】
(1) 前記剛管路構造物１０は、現場打ち施工によって構築されることもある。
【００８５】
(2) 前記剛管路構造物１０と前記柔管路構造物１２とを連結する前記可撓性連結部１１は、該剛管路構造物１０と該柔管路構造物１２の夫々の連結側の端面に端部分がフランジ等を介してボルト連結された、例えばゴム製円筒状を呈する可撓性連結部等であってもよい。
【００８６】
(3) 前記暗渠ブロック１２３を前記支持板１８１で支持する場合、隣り合う支持板間にベントナイトだけ充填することの他、ベントナイトに砂や土を混合してなる混合充填材を充填することもある。
【００８７】
(4) 前記剛管路構造物１０は、その下面側にベントナイトが充填されないこともある。
【００８８】
(5) 前記剛管路構造物１０を、施工箇所の設置面に敷設した支持板１８１上に載置する場合、該支持板１８１は、図１３に示すように該剛管路構造物１０の下面２４３の幅方向全長に亘ものではなく、幅方向の左右部分にのみ配設されることもある。
【００８９】
(6) 前記遮水壁部１７は、現場打ち施工よって構築されてもよい。又、該遮水壁部１７を、プレキャストコンクリート製の部材を接合一体化して構築する場合、施工現場における施工性を考慮して、前後や左右、上下に所要に分割された分割ブロック片を連結一体化して構築できる。
【００９０】
(7) 図２７においては、前記剛管路構造物１０の下面１３が傾斜状態の平坦な面として形成された場合の一実施例を示すものであり、前記後の端面板４９の後面の中央部分に、前記第１の暗渠ブロック１２３の前端部分２００を、その軸線が下方に若干傾斜した状態で嵌め入れるための傾斜調整凹部２４７が設けられている。該傾斜調整凹部２４７は、その底面２４９が下方に向けて前方に傾斜することにより、下方に向けて順次深くなるように構成されており、その傾斜角度は、前記複合型底樋１が所要水勾配を有するように、例えば１度に設定される。
【図面の簡単な説明】
【００９１】
【図１】本発明に係る複合型底樋が配設された溜池の堤体を示す断面図である。
【図２】その溜池側の部分を示す拡大図である。
【図３】剛管路構造物と、それが連結される取水構造物と、柔管路構造物の前側部分を示す断面部である。
【図４】剛管路構造物に可撓性連結部を介して柔管路構造物を連結した状態を示す断面図である。
【図５】柔管路構造物の外端を枡部に連結した状態を示す断面図である。
【図６】取水構造物を示す斜視図である。
【図７】取水構造物を構成する部材相互の連結状態を示す断面図である。
【図８】取水構造物と剛管路構造物を構成する部材を示す斜視図である。
【図９】取水構造物の排泥用開口部を扉体で開閉する作用を説明する正面図である。
【図１０】その断面図である。
【図１１】取水構造物に対する止水用の樋体の連結状態を説明する断面図である。
【図１２】取水構造物に連結される斜樋と、該斜樋に設けた取水口を開閉する開閉装置を示す説明図である。
【図１３】剛管路構造物に、取水構造物と遮水壁部と柔管路構造物が連結された状態を示す斜視図である。
【図１４】その断面図である。
【図１５】取水構造物と第１の暗渠ブロックとの連結状態及び、第１の暗渠ブロック相互の連結状態を示す断面図である。
【図１６】この連結に用いる連結棒をナットで締め付けた状態と、暗渠ブロックの端面に弾性シール材を取り付けた状態を示す断面図である。
【図１７】剛管路構造物に柔管路構造物を可撓性連結部を介して連結した状態を示す断面図である。
【図１８】その連結部分の拡大図である。
【図１９】剛管路構造物を支持する支持板間にベントナイトを充填した状態を示す断面図である。
【図２０】遮水壁部を構成する前壁部材と後壁部材を、遮水シートと共に示す斜視図である。
【図２１】前壁部材と後壁部材の分解斜視図である。
【図２２】前壁部材と後壁部材をボルト連結した状態を示す側面図である。
【図２３】遮水壁部を構築する施工工程を説明する説明図である。
【図２４】可撓性連結部が突設された剛管路構造物と、柔管路構造物を構成する樹脂管を示す斜視図である。
【図２５】樹脂管相互を可撓性継手部を介して連結した状態を示す断面図である。
【図２６】剛管路構造物の横断面図である。
【図２７】下面が傾斜状態の平坦な面として形成された剛管路構造物を示す断面図と、該剛管路構造物の前端部分を嵌め入れる傾斜調整凹部を具えた止水構造物の後側部分を示す斜視図である。
【図２８】従来における溜池の堤体の底樋構造を説明する断面図である。
【図２９】その溜池側を示す拡大図である。
【図３０】従来における溜池の堤体の底樋構造の他の態様を示す断面図である。
【図３１】その溜池側を示す拡大図である。
【符号の説明】
【００９２】
１  複合型底樋
２  溜池
３  堤体
６  貯留水
７  遮水性ゾーン
９  本体ゾーン
１０  剛管路構造物
１２  柔管路構造物
１３  下面
１５  水路
１７  遮水壁部
２０  遮水鍔部
２２  取水構造物
２３  扉体
２５  排泥用開口部
２７  取水用の樋体
２９  斜樋
３０  下端樋部
３１  樹脂管
３２  可撓性継手部
３３  水路
４１  排出口
５１  連結棒
６９  連結軸
７３  ナット
８５  ベントナイト
９２  昇降装置
１２３  暗渠ブロック
１８１  支持板
２２３  樹脂管
２２５  可撓性継手部
２３７  ソケット部
２４３  剛管路構造物の下面
【図１】
0004611402.tif 000002
【図２】
0004611402.tif 000003
【図３】
0004611402.tif 000004
【図４】
0004611402.tif 000005
【図５】
0004611402.tif 000006
【図６】
0004611402.tif 000007
【図７】
0004611402.tif 000008
【図８】
0004611402.tif 000009
【図９】
0004611402.tif 000010
【図１０】
0004611402.tif 000011
【図１１】
0004611402.tif 000012
【図１２】
0004611402.tif 000013
【図１３】
0004611402.tif 000014
【図１４】
0004611402.tif 000015
【図１５】
0004611402.tif 000016
【図１６】
0004611402.tif 000017
【図１７】
0004611402.tif 000018
【図１８】
0004611402.tif 000019
【図１９】
0004611402.tif 000020
【図２０】
0004611402.tif 000021
【図２１】
0004611402.tif 000022
【図２２】
0004611402.tif 000023
【図２３】
0004611402.tif 000024
【図２４】
0004611402.tif 000025
【図２５】
0004611402.tif 000026
【図２６】
0004611402.tif 000027
【図２７】
0004611402.tif 000028
【図２８】
0004611402.tif 000029
【図２９】
0004611402.tif 000030
【図３０】
0004611402.tif 000031
【図３１】
0004611402.tif 000032